(57)【要約】  本発明による航空機用コンテナーなどの航空貨物の駆動装置などの搬送装置は、枠（１）内に駆動ローラ（５）及び昇降機（６）を備え、昇降機（６）には、駆動ローラ（５）を持上げるために少なくとも１つの駆動機構（９）が備えられていることを特徴とする。
2010527870.tif 000002
【特許請求の範囲】
【請求項１】
枠（１）内に駆動ローラ（５）及び昇降機（６）を備えた航空機用コンテナーなどの航空貨物を扱う駆動装置などの搬送装置（１）であって、
昇降機（６）には、駆動ローラ（５）を持上げるために少なくとも１つの駆動機構（９）が備えられていることを特徴とする搬送装置。
【請求項２】
駆動機構（９）は、１つのモータ（１１）及び１段又は多段の遊星歯車機構（１２）により形成されていることを特徴とする請求項１に記載の搬送装置。
【請求項３】
昇降機（６）は中空軸（１０）を備え、該中空軸は枠（１）の２つの枠辺（２．１、２．２）に回転可能に装着され、中空軸内（１０）の一端に備えられた遊星歯車機構の担体（１４）は枠（１）の枠辺（２．１）に固定されていることを特徴とする請求項１又は請求項２に記載の搬送装置。
【請求項４】
中空軸（１０）の他端には、１つ又はモータ（１１）の複数の固定子（１７）の担体としてのモータ保持軸（１６）が備えられて枠辺（２．２）に連結され、中空軸（１０）はモータ保持軸（１６）に対して回転可能であることを特徴とする請求項３に記載の搬送装置。
【請求項５】
昇降機（６）の一端又は両端には、カム又は偏心板として形成された突出部（７）が備えられていることを特徴とする請求項３又は請求項４に記載の搬送装置。
【請求項６】
遊星歯車機構（１２）とモータ保持軸（１６）の間に、モータ（１１）の回転子（１８）が回転可能に装着され、一段又は多段の遊星歯車機構（１２）と噛合っていることを特徴とする請求項４又は請求項５に記載の搬送装置。
【請求項７】
遊星歯車機構の担体（１４）は枠辺（２．１）に固定され、遊星歯車（１３）を介して、中空軸（１０）を正回転又は逆回転させることを特徴とする請求項３ないし請求項６のいずれか１項に記載の搬送装置。
【請求項８】
駆動ローラ（５）は、２つの補助枠（３．１、３．２）の間に装着され、連結部材（４）により枠（１）の２つの枠辺（２．１、２．２）と回転可能に連結されていることを特徴とする請求項１ないし請求項７のいずれか１項に記載の搬送装置。
【請求項９】
補助枠（３．１、３．２）の端部は、昇降機（６）のカム状又は偏心板状の突出部（７）と噛合って、駆動ローラ（５）を昇降させることを特徴とする請求項８に記載の搬送装置。
【請求項１０】
２つの枠辺（２．１、２．２．２）の間で連結部材（４）の近傍に制御部（２０）が備えられ、２つの補助枠（３．１、３．２）の間に駆動ローラ（５）が備えられ、枠（１）のそれぞれの枠辺（２．１、２．２）に連結する中空軸（１０）を有し且つ補助枠（３．１、３．２）のローラ部材（８）と噛合う突出部（７）を両端に有する昇降機（６）を備えていることを特徴とする請求項８又は請求項９に記載の搬送装置。
【発明の詳細な説明】
【技術分野】
【０００１】
本発明は、航空機用コンテナーなどの航空貨物を扱う、枠内に駆動ローラ及び昇降機を備えた駆動機構などの航空貨物の搬送装置に関する。
【背景技術】
【０００２】
貨物用コンテナーなどの航空貨物を搬送する従来の装置には、例えば、貨物用コンテナーの底部を揺動するか、押圧して、搬送すべき航空貨物を駆動する複雑な構成の昇降機が備えられた駆動装置が装着されていた。
【０００３】
このような、駆動装置の昇降機には、高度な要求がなされていた。昇降機は、大きな負荷の下で確実に作動させ必要があった。
【０００４】
従来は、例えば、偏心カムを用いて、昇降機及び駆動ローラを駆動装置の枠から離間させるのに、高価なシステム及び駆動装置を要することが問題であった。
【発明の概要】
【発明が解決しようとする課題】
【０００５】
本発明の課題は、簡単且つ安価な方法で上記の問題点を解決し、駆動ローラを枠から離間させる装置を創出することである。駆動ローラの両側を同期させて枠から離間するように駆動させて、大きな持上げ力を生成する昇降機を実現させることも本発明の目的である。その上、駆動ローラの離間及び戻りが可能な極めて小型の昇降機を提供することも本発明の目的である。
【課題を解決するための手段】
【０００６】
昇降機に少なくとも１つの駆動機構を備えることにより、上記課題が解決される。
【０００７】
本発明では、枠の２つの枠辺の狭い空間に昇降機が挿入され、昇降機の中空軸を回転させて大きな駆動トルクが伝達できることが特徴である。
【０００８】
補助枠を中空軸の両側の突出部と噛み合せて補助枠の間に設置された駆動ローラを離間させたり、戻したりできるように、前記それぞれの突出部はカム、偏心板などとして形成されていることが本発明の特徴である。また、昇降機の中空軸の内部に、少なくとも１つのモータ及び遊星歯車機構を組み込むことも本発明の特徴である。出力遊星歯車機構の担体が一方の枠辺の端部に固定され、他方の枠辺の端部にモータ保持軸が固定されていることも本発明の特徴の一つである。
【０００９】
このようにして、モータにより、特に３段に形成された遊星歯車機構が駆動され、遊星歯車機構のそれぞれの遊星歯車が昇降機の中空軸の内部で噛合うことにより、小さな空間で且つ軽量でありながら、大きな回転トルクが昇降機の中空軸に伝達される。
【００１０】
昇降機のカムなどの突出部に対応するローラ部材を噛合せて２つの補助枠の上昇を同期させて、駆動ローラ又は２つの補助枠は枠から離間して戻ることができる
本発明では、軽量且つ小型の極めてコンパクトな駆動機構としての搬送装置により、中空軸しての昇降機の両側を同期させた回転により、駆動ローラを離間させるか戻すことができることも特徴の一つである。
【図面の簡単な説明】
【００１１】
【図１】航空貨物の搬送装置の動作時の斜視図
【図２】図１に示す搬送装置の枠辺を除いた状態における静止時の側面図
【図３】図１に示す搬送装置の平面断面図
【発明を実施するための形態】
【００１２】
以下、本発明の利点、特徴及び詳細について、図面を用いて説明する。
【実施例】
【００１３】
図１に示すように、航空機のコンテナーのような航空貨物の搬送装置Ｒは、２つの枠辺２．１、２．２により形成される枠１を備えている。
【００１４】
２つの枠辺２．１、２．２のそれぞれの一端は、図２、３で明らかなように、連結部材４．１、４．２を介して補助枠３．１、３．２に回転可能に連結されている。２つの補助枠３．１、３．２の一方の端部の間に、駆動ローラ５が補助枠３．２には固定され、補助枠３．１に対しては回転可能に装着されている。駆動ローラ５を搬送すべきコンテナーなどの航空貨物と接触させるための昇降機６が、枠の枠辺２．１、２．２の他の端部の間に装着されている。
【００１５】
図１では明確では無いが図２、３で明らかなように、昇降機６はその両端に突出部７が備えられ、図２に示すようにカムとして形成されることが好ましい。
【００１６】
図２から明らかなように、補助枠３の末端のローラ部材８は、カム、偏心板などの突出部７上に当接され、昇降機６をＹ方向に回転させることにより、補助枠３．１、３．２は、枠１の連結部材４．１、４．２の周りを回転して、昇降機６から離れるように移動することが可能となる。
【００１７】
本発明では、昇降機６、すなわちその中空軸１０をＹ方向又は逆に駆動する少なくとも１つの駆動機構９が昇降機６に組み込まれていることが特徴である。
【００１８】
中空軸１０の末端のカムなど突出部７の前面がローラ部材８と接して補助枠３．１、３．２と当接されていることも特徴の一つである。
【００１９】
このようにして、中空軸１０を完全に同期させて駆動させることにより、補助枠３．１、３．２、従って駆動ローラ５が、枠辺２．１、２．２からコンテナーなどの航空貨物に向かって動かされる。
【００２０】
駆動機構９は、中空軸１０内部に装着され、基本的にはモータ１１とそれに連結された遊星歯車機構１２から構成されている。
【００２１】
遊星歯車機構１２、特にその遊星歯車１３は、駆動ローラ５を持ち上げるか又は昇降させるように、昇降機６の中空軸１０を回転させることも本発明の特徴である。
【００２２】
ここでは、枠辺２．１の端部に、出力遊星歯車の担体１４が挿入され、突出部７域にある該担体の一端において、軸受１５を介して中空軸１０が回転可能に装着されている。他方の枠辺２．２にはモータ保持軸１６が備えられ、同様に中空軸１０がその突出部域において、軸受１５に回転可能に保持されている。
【００２３】
モータ保持軸１６に接して、モータ１１の固定子１７が同軸に固定されている。
【００２４】
回転軸１９を有する回転子１８がモータ保持軸１６と連結されて１段又は３段の遊星歯車機構１２を駆動する構成となっている。
【００２５】
出力遊星歯車の担体１４を固定することにより、対応する遊星歯車１３が昇降機６の外側の中空軸１０を駆動して、カム板、偏心板などに形成された突出部７を回転させることにより、補助枠３．１、３．２が駆動ローラ５を枠の枠辺２．１、２．２から離間させるか又は再度戻るように作用する。
【００２６】
本発明では、昇降機６に対するこのような些細な構成により、僅かな摩擦力により極めて大きな押圧力が生成される。更に、補助枠３．１と３．２の間の制御部２０、枠１の枠辺２．１、２．２の間の駆動ローラ５並びに昇降機６が極めてコンパクトに配置できるので、装置Ｒ全体が僅かな構成部材により小型に構成できる。
【符号の説明】
【００２７】
１    枠
２    枠辺
３    補助枠
４    連結部
５    駆動ローラ
６    昇降機
７    突出部
８    ローラ部材
９    駆動機構
１０  中空軸
１１  モータ
１２  遊星歯車機構
１３  遊星歯車
１４  遊星歯車機構の担体
１５  軸受
１６  モータ保持軸
１７  固定子
１８  回転子
１９  回転軸
２０  制御部
Ｒ    （航空貨物の）搬送装置
Ｙ    昇降機の回転方向を示す矢印
【図１】
2010527870.tif 000003
【図２】
2010527870.tif 000004
【図３】
2010527870.tif 000005
【国際調査報告】
2010527870.tif 000006
2010527870.tif 000007
2010527870.tif 000008
2010527870.tif 000009